(57)【特許請求の範囲】
【請求項１】
操作部本体に前後方向に細長く形成されたスリット内において操作ワイヤの基端が連結されたワイヤ取付部材に、上記スリット外に突出した形状のスライド操作部材が取り付けられ、上記ワイヤ取付部材を上記スライド操作部材で上記スリットの長手方向に沿って移動させることにより、上記操作ワイヤが軸線方向に進退操作されるように構成された内視鏡用ディスポーザブル処置具の操作部において、
上記ワイヤ取付部材に対する上記スライド操作部材の取り付け位置を、上記スリットの長手方向において相違する複数箇所の中から任意に選択することができる取付位置選択手段を設けて、上記ワイヤ取付部材に対する上記スライド操作部材の取り付け位置を選択することにより上記スリット内における上記ワイヤ取付部材の最大可動距離を設定することができるようにすると共に、
上記ワイヤ取付部材に対する上記スライド操作部材の取り付け位置が選択された状態で上記ワイヤ取付部材に対する上記スライド操作部材の取り付け位置を固定する固定手段を設け、
上記スライド操作部材と上記ワイヤ取付部材の一方には、上記スリット内に緩く嵌め込まれて上記スリットの長手方向に沿って複数の孔が形成された内挿部が備えられて、他方には上記内挿部と上記操作部本体とに緩く被嵌されて上記複数の孔の一つに重なり合う位置に透孔が形成された筒状部が備えられると共に、上記透孔と上記孔とにまたがって係合する連結ピンが設けられて、これらにより上記取付位置選択手段が形成されている内視鏡用ディスポーザブル処置具の操作部。
【請求項２】
操作部本体に前後方向に細長く形成されたスリット内において操作ワイヤの基端が連結されたワイヤ取付部材に、上記スリット外に突出した形状のスライド操作部材が取り付けられ、上記ワイヤ取付部材を上記スライド操作部材で上記スリットの長手方向に沿って移動させることにより、上記操作ワイヤが軸線方向に進退操作されるように構成された内視鏡用ディスポーザブル処置具の操作部において、
上記ワイヤ取付部材に対する上記スライド操作部材の取り付け位置を、上記スリットの長手方向において相違する複数箇所の中から任意に選択することができる取付位置選択手段を設けて、上記ワイヤ取付部材に対する上記スライド操作部材の取り付け位置を選択することにより上記スリット内における上記ワイヤ取付部材の最大可動距離を設定することができるようにすると共に、
上記ワイヤ取付部材に対する上記スライド操作部材の取り付け位置が選択された状態で上記ワイヤ取付部材に対する上記スライド操作部材の取り付け位置を固定する固定手段を設け、
上記ワイヤ取付部材と上記スライド操作部材の一方には、上記操作部本体に緩く被嵌されて上記スリットの長手方向に沿って複数の透孔が形成された筒状部が備えられて、他方には上記筒状部の内側に位置するように上記スリット内に緩く嵌め込まれて上記複数の透孔の一つと重なる位置に孔が形成された内挿部が備えられると共に、上記透孔と上記孔とにまたがって係合する連結ピンが設けられて、これらにより上記取付位置選択手段が形成されている内視鏡用ディスポーザブル処置具の操作部。
【請求項３】
上記固定手段が、上記連結ピンを上記透孔と上記孔とにまたがって係合した状態で固定するものである請求項１又は２記載の内視鏡用ディスポーザブル処置具の操作部。
【請求項４】
上記固定手段が接着剤である請求項３記載の内視鏡用ディスポーザブル処置具の操作部。
【発明の詳細な説明】
【技術分野】
【０００１】
この発明は、内視鏡の処置具挿通チャンネルに通して使用される内視鏡用ディスポーザブル処置具の操作部に関する。
【背景技術】
【０００２】
内視鏡用処置具として、操作ワイヤが軸線方向に可動に挿通配置されたシース部と、その操作ワイヤを進退操作するためのスライド操作部材が配置された操作部とを備え、そのようなシース部と操作部とを一まとめに使い捨て式にしたディスポーザブル処置具がある。
【０００３】
ただし、部品の共通化によるコストダウンを図るため、操作ワイヤの必要最大ストロークが相違する複数機種に同じ操作部を使用して出荷する場合には、操作ワイヤの必要最大ストロークの相違に対応してスライド操作部材の最大可動距離を設定しておく必要がある。
【０００４】
最大可動距離が不足すると処置具の機能が発揮できず、最大可動距離が過多の場合は、シース部の先端から処置部材が飛び出しすぎて、処置部材やシース部等が破損したり座屈したりする恐れがある。
【０００５】
そこで従来は、操作部本体に設けられた可撓性チューブ製のストッパを適宜の長さに切断することにより、スライド操作部材の最大可動距離を任意に設定することができるようにしていた（例えば、特許文献１）。
【特許文献１】特開２０００−１２６１８９
【発明の開示】
【発明が解決しようとする課題】
【０００６】
しかし、可撓性チューブ製のストッパは、使用中に想定以上の強い力で押されると潰れてしまって操作ワイヤのストロークが過大になったり操作不良になる恐れがある。また、ストッパを誤って所定より短く切断してしまうと操作部全体が使い物にならなくなってしまう場合がある。
【０００７】
本発明は、操作ワイヤの必要最大ストロークが相違する複数機種に同じ操作部を使用する場合に、その各々に適合した最大ストロークになるように容易にセッティングして、良好な状態で使用することができる内視鏡用ディスポーザブル処置具の操作部を提供することを目的とする。
【課題を解決するための手段】
【０００８】
上記の目的を達成するため、本発明の内視鏡用ディスポーザブル処置具の操作部は、操作部本体に前後方向に細長く形成されたスリット内において操作ワイヤの基端が連結されたワイヤ取付部材に、スリット外に突出した形状のスライド操作部材が取り付けられ、ワイヤ取付部材をスライド操作部材でスリットの長手方向に沿って移動させることにより、操作ワイヤが軸線方向に進退操作されるように構成された内視鏡用ディスポーザブル処置具の操作部において、ワイヤ取付部材に対するスライド操作部材の取り付け位置を、スリットの長手方向において相違する複数箇所の中から任意に選択することができる取付位置選択手段を設けて、ワイヤ取付部材に対するスライド操作部材の取り付け位置を選択することによりスリット内におけるワイヤ取付部材の最大可動距離を設定することができるようにすると共に、ワイヤ取付部材に対するスライド操作部材の取り付け位置が選択された状態でワイヤ取付部材に対するスライド操作部材の取り付け位置を固定する固定手段を設けたものである。
【０００９】
なお、スライド操作部材とワイヤ取付部材の一方には、スリット内に緩く嵌め込まれてスリットの長手方向に沿って複数の孔が形成された内挿部が備えられて、他方には内挿部と操作部本体とに緩く被嵌されて複数の孔の一つに重なり合う位置に透孔が形成された筒状部が備えられると共に、透孔と孔とにまたがって係合する連結ピンが設けられて、これらにより取付位置選択手段が形成されていてもよい。
【００１０】
或いは、ワイヤ取付部材とスライド操作部材の一方には、操作部本体に緩く被嵌されてスリットの長手方向に沿って複数の透孔が形成された筒状部が備えられて、他方には筒状部の内側に位置するようにスリット内に緩く嵌め込まれて複数の透孔の一つと重なる位置に孔が形成された内挿部が備えられると共に、透孔と孔とにまたがって係合する連結ピンが設けられて、これらにより取付位置選択手段が形成されていてもよい。
【００１１】
また、固定手段が、連結ピンを透孔と孔とにまたがって係合した状態で固定するものであってもよく、その固定手段が接着剤であってもよい。
【発明の効果】
【００１２】
本発明によれば、ワイヤ取付部材に対するスライド操作部材の取り付け位置を複数箇所の中から任意に選択してスリット内におけるワイヤ取付部材の最大可動距離を設定・固定することができるので、操作ワイヤの必要最大ストロークが相違する複数機種に同じ操作部を使用する場合に、その各々に適合した最大ストロークになるように容易にセッティングして、良好な状態で使用することができる。
【発明を実施するための最良の形態】
【００１３】
操作部本体に前後方向に細長く形成されたスリット内において操作ワイヤの基端が連結されたワイヤ取付部材に、スリット外に突出した形状のスライド操作部材が取り付けられ、ワイヤ取付部材をスライド操作部材でスリットの長手方向に沿って移動させることにより、操作ワイヤが軸線方向に進退操作されるように構成された内視鏡用ディスポーザブル処置具の操作部において、ワイヤ取付部材に対するスライド操作部材の取り付け位置を、スリットの長手方向において相違する複数箇所の中から任意に選択することができる取付位置選択手段を設けて、ワイヤ取付部材に対するスライド操作部材の取り付け位置を選択することによりスリット内におけるワイヤ取付部材の最大可動距離を設定することができるようにすると共に、ワイヤ取付部材に対するスライド操作部材の取り付け位置が選択された状態でワイヤ取付部材に対するスライド操作部材の取り付け位置を固定する固定手段を設ける。
【実施例】
【００１４】
以下、図面を参照して本発明の実施例を説明する。
図１は内視鏡用ディスポーザブル処置具の操作部の側面断面図、図２はその分解斜視図である。
【００１５】
図示されていない内視鏡の処置具挿通チャンネルに挿脱される可撓性シース１の基端口金２が連結された操作部本体１１は、前後方向に細長い棒状に形成されて、中心軸線位置を通る前後方向に細長いスリット１２により、前後両端付近の領域を除いて左右に分断された形状に形成されている。操作部本体１１の後端部には、操作者の手の第１指を係合させるための固定指掛け１３が設けられている。
【００１６】
可撓性シース１内に軸線方向に進退自在に全長にわたって挿通配置された操作ワイヤ３の基端部分は、可撓性シース１の基端から操作部本体１１のスリット１２内に引き出されていて、操作ワイヤ３の基端に固着された連結棒４が、スリット１２内でワイヤ取付部材１６に連結されている。
【００１７】
２２は、図示されていない高周波電源コードを接続するための接続端子であり、連結棒４が接続端子２２の導電ロッドの先端でワイヤ取付部材１６に押圧固定されている。その結果、接続端子２２から操作ワイヤ３に高周波電流を通電することができる。
【００１８】
ワイヤ取付部材１６には、操作部本体１１に軸線方向に進退自在に緩く被嵌された筒状部１６ａが一体に備えられている。ただし、この実施例では、部品製造の容易性から独立して単体で形成された筒状部１６ａがワイヤ取付部材１６にビス止め固定されてそれらが一体化されている。
【００１９】
ワイヤ取付部材１６には、スリット１２外に突出した形状のスライド操作部材２４が取り付けられている。スライド操作部材２４には、操作者の第２指と第３指を係合させるための二つのリングが形成されており、ワイヤ取付部材１６をスライド操作部材２４で操作部本体１１の長手方向（即ち、スリット１２の長手方向）に沿って移動させることにより、操作ワイヤ３が軸線方向に進退操作される。
【００２０】
スライド操作部材２４には、スリット１２の内側に緩く嵌め込まれてスリット１２の長手方向に沿って各々が同じ径の複数の孔２５（ここでは５個の孔）が一定の深さに一定の間隔で形成された内挿部２４ａが備えられている。この実施例では、そのような孔２５の列が１８０°対称位置（裏と表）に設けられている。
【００２１】
一方、ワイヤ取付部材１６には、スライド操作部材２４の内挿部２４ａと操作部本体１１とにまたがって緩く被嵌されて、スライド操作部材２４の孔２５の一つに重なり合う位置に透孔１７が形成された筒状部１６ａが備えられている。なお、透孔１７が複数設けられていても差し支えない。
【００２２】
そして、ワイヤ取付部材１６の透孔１７とスライド操作部材２４の孔２５とにまたがって真っ直ぐに差し込まれた状態に係合する硬質の連結ピン２７が設けられており、スライド操作部材２４の内挿部２４ａに対してワイヤ取付部材１６の筒状部１６ａをスライドさせることにより、スライド操作部材２４の任意の孔２５とワイヤ取付部材１６の透孔１７とにまたがって連結ピン２７を係合させることができる。
【００２３】
このようにして、ワイヤ取付部材１６に対するスライド操作部材２４の取り付け位置を、スリット１２の長手方向において相違する複数箇所の中から任意に選択することができる「取付位置選択手段」が構成されている。
【００２４】
また、連結ピン２７は、透孔１７と孔２５とにまたがって係合した状態で接着剤２８（固定手段）により固定されており、連結ピン２７が係合する孔２５を選択してワイヤ取付部材１６に対するスライド操作部材２４の取り付け位置が選択された状態で、ワイヤ取付部材１６に対するスライド操作部材２４の取り付け位置が固定される。なお、そのための固定手段が接着剤２８以外のもの（例えば、ねじ等）であっても差し支えない。
【００２５】
このようにして、ワイヤ取付部材１６に対するスライド操作部材２４の取り付け位置を、スリット１２の長手方向において相違する複数箇所の中から任意に選択すると、スライド操作部材２４の最大可動距離（即ち、操作ワイヤ３の最大ストローク）は、ワイヤ取付部材１６とスライド操作部材２４の合計長とスリット１２の長さとの差に略等しい。
【００２６】
その結果、図３及び図４に例示されるように、ワイヤ取付部材１６に対するスライド操作部材２４の取り付け位置を変えることにより、スリット１２内におけるワイヤ取付部材１６の最大可動距離Ｌ１，Ｌ２をその機種に合わせて設定し、その状態を固定して出荷することができる。
【００２７】
図５は本発明の第２の実施例の内視鏡用ディスポーザブル処置具の操作部を示しており、ワイヤ取付部材１６の筒状部１６ａ側に複数の透孔１７を形成して、スライド操作部材２４の内挿部２４ａ側には、その複数の透孔１７の一つと重なる位置に孔を形成したものである。その他の構成は前述の第１の実施例と同じである。このように構成しても第１の実施例と同様の作用効果が得られる。
【００２８】
また、上記の各実施例において、筒状部１６ａをワイヤ取付部材１６と一体ではなくスライド操作部材２４と一体に形成して、内挿部２４ａをスライド操作部材２４と一体ではなくワイヤ取付部材１６と一体に形成した構成を採っても差し支えない。
【図面の簡単な説明】
【００２９】
【図１】本発明の第１の実施例の内視鏡用ディスポーザブル処置具の操作部の側面断面図である。
【図２】本発明の第１の実施例の内視鏡用ディスポーザブル処置具の操作部の分解斜視図である。
【図３】本発明の第１の実施例の内視鏡用ディスポーザブル処置具の操作部の動作を示す側面断面図である。
【図４】本発明の第１の実施例の内視鏡用ディスポーザブル処置具の操作部の動作を示す側面断面図である。
【図５】本発明の第２の実施例の内視鏡用ディスポーザブル処置具の操作部の側面断面図である。
【符号の説明】
【００３０】
１  可撓性シース
３  操作ワイヤ
１１  操作部本体
１２  スリット
１６  ワイヤ取付部材
１６ａ  筒状部
１７  透孔（取付位置選択手段）
２４  スライド操作部材
２４ａ  内挿部
２５  孔（取付位置選択手段）
２７  連結ピン（取付位置選択手段）
２８  接着剤（固定手段）
【図１】
0005186246.tif 000002
【図２】
0005186246.tif 000003
【図３】
0005186246.tif 000004
【図４】
0005186246.tif 000005
【図５】
0005186246.tif 000006